(57)【要約】【課題】非磁性体からなる乗りかごの壁体内表面に保護幕などの被固定物を容易に係止でき、被固定物を係止しないときは壁の見栄えを損なわないようにしたエレベータの乗りかご壁面の係止装置を提供する。【解決手段】乗りかご１０を形成する壁体１が非磁性体によって構成されたエレベータの乗りかご内の壁面部に被固定物４を係止するものにおいて、上記壁面部１ａに設けられ、その背面部に磁石または磁性体が取り付けられた固定部５と、上記被固定物の側に設けられ、上記固定部の背面部に取り付けられた磁石または磁性体に壁体を介して吸着する磁性体または磁石からなる吸着体４０とを備え、該吸着体を上記固定部に吸着させることにより被固定物を乗りかご内の壁面部に係止させるように構成した。【選択図】図１
2005247513.tif 000002
【特許請求の範囲】
【請求項１】
壁体が非磁性体からなるエレベータの乗りかご内の壁面部に被固定物を係止するものにおいて、上記壁面部の所定部に設けられ、その背面部に磁石または磁性体が取り付けられた固定部と、上記被固定物に設けられ、上記固定部の背面部に取り付けられた磁石または磁性体に壁体を介して吸着する磁性体または磁石からなる吸着体とを備え、該吸着体を上記固定部に吸着させることにより被固定物を乗りかご内の壁面部に係止させるようにしたことを特徴とするエレベータの乗りかご壁面の係止装置。
【請求項２】
上記壁面部に設けられた固定部は、上記被固定物の側に設けられた吸着体を収め得る大きさ及び深さの凹部として形成されてなることを特徴とする請求項１に記載のエレベータの乗りかご壁面の係止装置。
【請求項３】
上記被固定物として、上記壁体の内表面を保護する保護幕を用いるようにしたことを特徴とする請求項１または請求項２に記載のエレベータの乗りかご壁面の係止装置。
【請求項４】
上記被固定物として、情報類が記載された表示部材を用いるようにしたことを特徴とする請求項１または請求項２に記載のエレベータの乗りかご壁面の係止装置。
【発明の詳細な説明】
【技術分野】
【０００１】
この発明は、エレベータの乗りかご内の壁面部に、例えば保護幕や案内掲示板などの被固定物を張るなど係止することのできるエレベータの乗りかご壁面の係止装置に関するものである。
【背景技術】
【０００２】
エレベータの乗りかごの内壁面を保護する保護幕を壁面部に係止するものとしては、カーテンフックがあり、カーテンフックを使わないときは壁面部からの出寸法を小さくして見栄えを良くするようにしたものがある（例えば特許文献１参照）。
また、乗りかご内に設ける手摺を円形中空状とし、その中空部に保護幕を内蔵し、使用時に引き出し、引き出した保護幕の下端部を鉤状のフックや磁石などで壁面下端部に固定するようにしたものがある（例えば特許文献２参照）。
【０００３】
【特許文献１】実開昭５９−２７６６号公報（第１頁、第１図）
【特許文献２】実開昭５２−１４６７１号公報（第１頁、第１図）
【発明の開示】
【発明が解決しようとする課題】
【０００４】
上記特許文献１に示されたものでは、出寸法を小さくしてもカーテンフックを使わないときにはフックが見えて目障りになるという意匠上の問題点があった。また、特許文献２に示されたものでは、手摺の高さ位置がほぼ限定されており、しかも鉤状のフックなどはやはり見栄えが悪く、磁石を用いて固定するにしても乗りかごの壁体がステンレス材やアルミ材で構成されている場合には、張ることができないといった問題点もあった。
【０００５】
この発明は、かかる従来技術の問題点を解消するためになされたもので、乗りかごを形成する壁体がステンレス材やアルミ材などの非磁性体からなるエレベータにおいて、保護幕、掲示板、催し案内などの被固定物を容易に係止することができ、しかも、このような被固定物を係止しないときに、外観上の意匠的な見栄えを損なうことのないエレベータの乗りかご壁面の係止装置を提供することを目的としている。
【課題を解決するための手段】
【０００６】
この発明によるエレベータの乗りかご壁面の係止装置は、壁体が非磁性体からなるエレベータの乗りかご内の壁面部に被固定物を係止するものにおいて、上記壁面部の所定部に設けられ、その背面部に磁石または磁性体が取り付けられた固定部と、上記被固定物に設けられ、上記固定部の背面部に取り付けられた磁石または磁性体に壁体を介して吸着する磁性体または磁石からなる吸着体とを備え、該吸着体を上記固定部に吸着させることにより被固定物を乗りかご内の壁面部に係止させるようにしたものである。
【発明の効果】
【０００７】
この発明は、ステンレス材やアルミ材などの非磁性体からなる壁体内側の壁面部に設けられた固定部の背面部に磁石または磁性体を取り付け、保護幕などの被固定物側に前記磁石または磁性体に吸引される磁性体または磁石からなる吸着体を取り付けたことにより、乗りかごの壁体が非磁性体であっても、保護幕などの被固定物を容易に係止することができ、しかも、このような被固定物を係止しない場合においても突起物などがないので、意匠的に見栄えを損なうことがない係止装置が得られる。
【発明を実施するための最良の形態】
【０００８】
実施の形態１．
図１ないし図３は、この発明を実施するための実施の形態１であるエレベータの乗りかご壁面の係止装置を説明するもので、図１は乗りかごの壁体と被固定物としての保護幕（２点鎖線で図示）の上半部を透視して示す斜視図、図２は図１のＩＩ−ＩＩ線における矢視断面図、図３は保護幕などの被固定物の上端部を示す側面断面図である。図において、乗りかご１０を形成する壁体１は非磁性体のステンレス材からなり、上部天井２には照明器具３が取り付けられている。乗りかご１０を形成する壁体１の内側の壁面部１ａ上部には、保護幕などの被固定物４（図１では２点鎖線で示す）を固定するための固定部５が複数設けられ、該固定部５は、この例ではコーナー部がＲ状に形成された矩形の凹部によって形成されている。
【０００９】
なお、図２において図の左側が乗りかご１０の室内側である。上記固定部５の背面部（図２の右側）には、例えばゴム磁石やフェライト系磁石などからなる板状の磁石５１が接着剤などにより取り付けられている。一方、保護幕などの被固定物４は、図３に示すように、保護幕などの本体の裏側に鉄板などの磁性体４０ａからなる吸着体４０が貼り付けられている。また、上記凹部によって形成された固定部５の寸法（凹みの深さ及び縦横の寸法）と、上記被固定物４の裏面に設けた吸着体４０の寸法とは、上記被固定物４を固定部５に固定したときに、図２に示すように吸着体４０が固定部５に収まるように合わせてある。具体的には、被固定物４の最大重量、吸着体４０の固定部５に対する吸着力等を考慮して、予め適宜の寸法に形成されている。
【００１０】
上記のように構成された実施の形態１においては、ステンレス材からなる壁体１の壁面部１ａにおける所望の位置、大きさに設けられた固定部５を凹部によって形成して、その背面部に磁石５１を張り付け、被固定物４の裏面に貼り付けた磁性体４０ａからなる吸着体４０が磁石５１に吸い付けられることで、保護幕などの被固定物４を固定部５に係止し、乗りかご１０の壁面部１ａに簡単に張ることができる。このため、被固定物４の着脱が容易であり、しかも被固定物４を使用しないときは、壁面部１ａにフックなどの突起物が無いので見栄えが悪くならず、意匠上の問題も解消できる。また、固定部５は、乗りかご１０の壁体１における任意の箇所に任意の数設けることができるので、被固定物４を係止する位置の制約が解消できる。さらに、この実施の形態１では、固定部５の凹みの中に、被固定物４の裏面に設けた吸着体４０がすっぽり入り込むように構成されているので、保護幕などの被固定物４の表面を平らにすることができ、美観上優れている。
【００１１】
なお、この実施の形態１では壁体１の上端部周囲に固定部５を列状に１列設けたが、これに限定されるものではなく、列状でなくてもよく、また、複数列、例えば壁体１の上下方向中間部、下端部にも同様の固定部を設け、保護幕などの被固定物４を上下複数箇所で固定することにより、被固定物が膨れたり、風ではためいたりするのを防ぐこともできる。また、磁石５１と吸着体４０の取り付け関係を逆にしても良い。例えば、固定部５の背面部の磁石５１を鉄板などの磁性体とし、被固定物４に貼り付ける磁性体からなる吸着体４０を磁石からなる吸着体にしても差し支えない。さらに、固定部５は凹部に形成したが、凹部を無くし、他の壁面部１ａと一様な平面であってもよいことは言うまでもない。この場合、所定位置に設けられた固定部５が分かるように、例えば壁体１の壁面部１ａに模様や着色などを施しても良い。また、固定部５は必ずしも厳密な位置、寸法として定める必要はなく、顧客の要望等に応じた概略的なものでも差し支えない。
【００１２】
実施の形態２．
図４ないし図６は、この発明の実施の形態２であるエレベータの乗りかご壁面の係止装置を説明するもので、図４は乗りかご室内の固定部に掲示板からなる被固定物を固定した状態を示す要部斜視図、図５は図４のＶ−Ｖ線における矢視断面図、図６は被固定物を示す側面断面図である。図に示すように、壁体１の上部所定位置に設けられた固定部５は上記実施の形態１と同様、列状に設けられ、凹部にて形成されているが、固定部５の背面部には磁石に代えて鉄板などの磁性体５２が例えば接着によって取り付けられている。さらに、被固定物４は、この実施の形態２では、表面部に、例として「本日８階催事場にて衣類の大売出し中です」というような文字情報が記載された掲示板からなり、その背面部には図６に示すように板状の磁石４０ｂからなる吸着体４０が接着されている。
【００１３】
上記のように構成された実施の形態２では、被固定物４として掲示板を用い、保護幕を張らないときに、文字情報などの情報類を表示した掲示板を係止するようにしたもので、掲示板からなる被固定物４の裏面に、壁体１の固定部５に吸引される磁石４０ａからなる吸着体４０を貼り付けるようにしたものである。この実施の形態２においても被固定物４を固定部５に容易に係止させることができるなど実施の形態１と同様の効果が得られる。また、表示面積等に応じた大きさの掲示板が張れるので、情報や宣伝をエレベータ乗客に伝えられるといった効果を得ることもできる。なお、この実施の形態２でも、固定部５を凹部によって形成したが、壁体１の他の部分と一様な平面としてもよいのは言うまでもない。
【００１４】
ところで、上記実施の形態の説明では、固定部５を略矩形とした例を示したが、形状や大きさなどは特に限定されるものではない。例えば、円形、楕円形、あるいはこれらを組み合わせたものなど任意である。さらに、固定部５は凹部あるいは一様な平面の例で示したが、凸部で形成しても差し支えない。また、被固定物４自体を吸着体４０によって構成しても差し支えないし、さらには吸着体４０を被固定物４本体の表面側に設けても同様の効果が期待できる。その他、この発明の精神の範囲内で種々の変形や変更が可能であることはいうまでもない。
【図面の簡単な説明】
【００１５】
【図１】この発明の実施の形態１によるエレベータの乗りかご壁面の係止装置における乗りかごの壁体と被固定物としての保護幕（２点鎖線で図示）の上半部を透視して示す斜視図である。
【図２】図１の被固定物張付部分のＩＩ−ＩＩ線における矢視断面図である。
【図３】図１に示す保護幕などの被固定物の上端部を示す側面断面図である。
【図４】この発明の実施の形態２によるエレベータの乗りかご壁面の係止装置における乗りかご室内の固定部に表示板からなる被固定物を固定した状態を示す要部斜視図である。
【図５】図４のＶ−Ｖ線における矢視断面図である。
【図６】図４の被固定物を示す側面断面図である。
【符号の説明】
【００１６】
１  壁体、  １ａ  壁面部、  ２  天井、  ３  照明器具、  ４  被固定物、  ４０  吸着体、  ４０ａ  吸着体（磁性体）、  ４０ｂ  吸着体（磁石）、  ５  固定部、  ５１  磁石、  ５２  磁性体、  １０  乗りかご。
【図１】
2005247513.tif 000003
【図２】
2005247513.tif 000004
【図３】
2005247513.tif 000005
【図４】
2005247513.tif 000006
【図５】
2005247513.tif 000007
【図６】
2005247513.tif 000008